(57)【特許請求の範囲】
【請求項１】
第１のテレビジョン信号による主画面、および第２のテレビジョン信号による副画面を左右に同時に表示可能な多画面テレビ受像機であって、
前記第１のテレビジョン信号を入力し、水平方向に圧縮処理して出力可能な主画面映像処理手段と、
前記第２のテレビジョン信号を水平方向に圧縮する第１の手段、および前記第２のテレビジョン信号に他の映像情報を付加して走査線数を増加して出力可能な第２の手段とを含む副画面映像処理手段と、
テキスト情報発生手段と、
前記第１のテレビジョン信号の方式を判別する第１の判別手段と、
前記第２のテレビジョン信号の方式を判別する第２の判別手段と、
前記第１，第２の判別手段の判別結果に基づき、前記第２のテレビジョン信号の走査線数が前記第１のテレビジョン信号の走査線数よりも少い場合には、前記第２のテレビジョン信号に前記テキスト情報を付加して走査線数を増加して出力し、前記第２のテレビジョン信号の走査線数と前記第１のテレビジョン信号の走査線数が等しい場合には、前記テキスト情報を付加せず出力するように、前記副画面映像処理手段を制御する制御手段と、
前記主画面映像処理手段の出力信号と、前記副画面映像処理手段の出力信号とが入力され、各出力信号を選択切替えして表示手段に供給する映像表示手段と
を具備して成る多画面テレビ受像機。
【請求項２】
前記テキスト情報発生手段は、前記第１もしくは第２のテレビジョン信号に重畳された文字放送信号または字幕放送信号をデコードするデコーダであることを特徴とする請求項１記載の多画面テレビ受像機。
【発明の詳細な説明】
【０００１】
【産業上の利用分野】
本発明は副画面機能を備えたテレビジョン受像機に係り、特に同じ大きさの画面を２つ並べて表示可能なテレビジョン受像機において、各々に異なったテレビジョン標準方式（ＮＴＳＣ，ＰＡＬ，ＳＥＣＡＭ等）による映像を表示することが可能な多画面テレビ受像機に関する。
【０００２】
【従来の技術】
従来より、主（メイン）画面に対して、それとは別に２つ目の画面であるところの副（サブ）画面を表示する機能を有したテレビジョン受像機の中に、画面を２分割して片側に主画面を、もう一方に副画面を、それぞれほぼ同一の大きさで表示する機能を持ったものが発表されている。以降便宜上、主画面とは、画面左側に表示され、かつ、画面全体（主副両画面）の偏向等を行う際の基準となる同期信号等を取り出される側の画面をいう。
【０００３】
図１１は同じ大きさの画面を２つ並べて片方を主画面、他方を副画面として表示可能な従来のテレビジョン受像機の一構成例を示すブロック図である。
【０００４】
図１１において、副画面用の映像信号は、ビデオ／クロマ／偏向処理部１，Ａ／Ｄ変換部２，データ並べ替え部（メモリ書き込み用）３，画像メモリ４，データ並べ替え部（メモリ読み出し用）５，Ｄ／Ａ変換部６を通り、主画面／副画面重畳部１２へ出力される。また、画像メモリ４へデータを書き込むタイミングを調整する書込タイミング発生部７及び画像メモリ４からデータを読み出すタイミングを調整する読出タイミング発生部８は、制御部９により制御されていて、該制御信号に基づいて前記書き込みタイミング調整及び読み出しタイミング調整を行っている。
【０００５】
一方、主画面用の映像信号は、ビデオ／クロマ／偏向処理部１０，Ａ／Ｄ変換器６２，画像メモリ６３，Ｄ／Ａ変換器６４を通り、主画面／副画面重畳部１２へ出力されている。尚、画像メモリ６３はメモリ制御部６１により、データの書き込み及び読み出しのタイミング制御が行われている。
【０００６】
そして、重畳された映像信号は映像処理部１３を通りＣＲＴドライブ部１４に供給されている。
【０００７】
次に、以上のように構成された、同じ大きさの画面を２つ並べて片方を主画面他方を副画面として表示可能なテレビジョン受像機の動作について説明する。
【０００８】
副画面用の映像信号は、ビデオ／クロマ／偏向処理部１でビデオ／クロマ処理が行われ、コンポジットビデオ信号から輝度，色差信号に分離変換されて、Ａ／Ｄ変換部２へ供給される。また、ビデオ／クロマ／偏向処理部１はコンポジットビデオ信号から同期分離を行い、水平同期信号（ＷＨＤ）及び垂直同期信号（ＷＶＤ）を生成して、書込タイミング発生部７に供給する。
【０００９】
書込タイミング発生部７は、ビデオ／クロマ／偏向処理部１からのＷＨＤ及びＷＶＤを基準として、Ａ／Ｄ変換用タイミング信号１５，データ並べ替え用タイミング信号１６及びデータ書き込み用タイミング信号１７を発生し、それぞれＡ／Ｄ変換部２，データ並べ替え部（メモリ書き込み用）３及び画像メモリ４に対して出力する。
【００１０】
Ａ／Ｄ変換部２は、Ａ／Ｄ変換用タイミング信号１５に基づいて、前記副画面用の映像信号をデジタル信号に変換してデータ並べ替え部（メモリ書き込み用）３に出力する。データ並べ替え部（メモリ書き込み用）３は、データ並べ替え用タイミング信号１６に基づいて、メモリ書き込みに適した順番に、前記デジタル変換された副画面用の映像信号データ列の並べ替えを行い、画像メモリ４に出力する。画像メモリ４は、データ書き込み用タイミング信号１７に基づいて、メモリ上に前記副画面用の映像信号データ列の並べ替え後のデータ列の書き込みを行う。
【００１１】
一方、主画面用の映像信号は、ビデオ／クロマ／偏向処理部１０でビデオ／クロマ処理が行われ、コンポジットビデオ信号から輝度，色差信号に分離変換される。また、ビデオ／クロマ／偏向処理部１０はコンポジットビデオ信号から同期分離を行い、水平同期信号（ＲＨＤ）及び垂直同期信号（ＲＶＤ）を生成して、読出しタイミング発生部８及びメモリ制御部６１に供給する。
【００１２】
読出しタイミング発生部８は、ビデオ／クロマ／偏向処理部１０からのＲＨＤ及びＲＶＤを基準として、データ読み出し用タイミング信号１８，データ並べ替え用タイミング信号１９，Ｄ／Ａ変換用タイミング信号２０及び主画面／副画面切り換え制御信号（ＹＳ）１１を発生し、それぞれ画像メモリ４，データ並べ替え部（メモリ読み出し用）５，Ｄ／Ａ変換部６及び主画面／副画面重畳部１２に対して出力する。尚、画像メモリ４から読み出される副画面映像データは、書き込まれ時の約２倍の速度で読み出されていて、これにより副画面映像は、ＣＲＴ上の右側半分に表示されるようになっている。これは、前記画像メモリ４に対して、副画面映像データの書き込みがリアルタイムで行われていると仮定すると、副画面映像データの読み出しが、その書き込み時間のｎ倍（ｎは正の実数）で行われた場合、副画面映像は１／ｎ倍に圧縮（または伸張）されることによる。
【００１３】
同様に、メモリ制御部６１は、ビデオ／クロマ／偏向処理部１０からの水平同期信号（ＲＨＤ）及び垂直同期信号（ＲＶＤ）を基準として、画像メモリ６３に対して映像データの書き込み及び読み出しの制御を行う。尚、主画面映像データが画像メモリ６３から読み出される際、副画面映像データの場合と同様に、主画面映像データは、書き込まれ時の約２倍の速度で読み出されていて、これにより主画面映像は、ＣＲＴ上の左側半分に表示されるようになっている。
【００１４】
一方、画像メモリ４上に書き込まれた前記副画面用の映像信号データ列の並べ替え後のデータ列は、読出しタイミング発生部８が発生するデータ読み出し用タイミング信号１８に基づいて、画像メモリ４から読み出され、データ並べ替え部（メモリ読み出し用）５に出力される。データ並べ替え部（メモリ読み出し用）５は、データ並べ替え用タイミング信号１９に基づいて、データ並べ替え部（メモリ書き込み用）３でデータ並べ替えが行われる以前の副画面用の映像信号データ列に並べ替え（元に戻す）が行われて、Ｄ／Ａ変換部６に出力される。Ｄ／Ａ変換部６は、Ｄ／Ａ変換用タイミング信号２０に基づいて、前記副画面用のデジタル映像信号をアナログ信号に変換（戻す）して、主画面／副画面重畳部１２に出力する。
【００１５】
また、主画面／副画面重畳部１２は、アナログ信号に変換された前記副画面用の映像信号と、前記主画面用の映像信号とを重畳する。重畳された前記映像信号は、映像処理部１３を経てＣＲＴドライブ部１４に供給され、ＣＲＴ管面に映し出される。
【００１６】
ところで、現在、世界各国で採用されているテレビジョン標準方式には、大きく分けて３種類ある。即ち、主に日本やアメリカで採用されているＮＴＳＣ方式と、主に西ヨーロッパで採用されているＰＡＬ方式と、主に旧ソ連，フランス，東ヨーロッパで採用されているＳＥＣＡＭ方式である。この中で、ＰＡＬ方式とＳＥＣＡＭ方式については、走査線数が１フレームあたり６２５本と共通であるのに対して、我が国等で採用されているＮＴＳＣ方式については、前記走査線数が１フレームあたり５２５本であり、ＰＡＬ方式及びＳＥＣＡＭ方式と異なっている。
【００１７】
そのため、画面を２分割して片側に主画面を、もう一方に副画面を、それぞれほぼ同一の大きさで表示する機能を持った従来のテレビジョン受像機において、主画面の走査線数と異なった映像を副画面に同時に表示することは不可能であった。
【００１８】
【発明が解決しようとする課題】
上記の如く、画面を左右に２分割して片側に主画面を、もう一方に副画面を、それぞれほぼ同一の大きさで表示する機能を持った従来のテレビジョン受像機においては、主画面の走査線数と異なった映像を副画面に、主画面と同時に表示することは不可能であるという欠点があった。
【００１９】
そこで、本発明はこのような問題に鑑み、主画面の走査線数と異なった映像を副画面として、主画面と同時に表示することが可能な、画面を左右に２分割して片側に主画面を、もう一方に副画面をそれぞれほぼ同一の大きさで表示する機能を持ったテレビジョン受像機である多画面テレビ受像機を提供することを目的とするものである。
【００２６】
【課題を解決するための手段】
請求項１記載の発明による多画面テレビ受像機は、
第１のテレビジョン信号による主画面、および第２のテレビジョン信号による副画面を左右に同時に表示可能な多画面テレビ受像機であって、
前記第１のテレビジョン信号を入力し、水平方向に圧縮処理して出力可能な主画面映像処理手段と、
前記第２のテレビジョン信号を水平方向に圧縮する第１の手段、および前記第２のテレビジョン信号に他の映像情報を付加して走査線数を増加して出力可能な第２の手段とを含む副画面映像処理手段と、
テキスト情報発生手段と、前記第１のテレビジョン信号の方式を判別する第１の判別手段と、前記第２のテレビジョン信号の方式を判別する第２の判別手段と、
前記第１，第２の判別手段の判別結果に基づき、前記第２のテレビジョン信号の走査線数が前記第１のテレビジョン信号の走査線数よりも少い場合には、前記第２のテレビジョン信号に前記テキスト情報を付加して走査線数を増加して出力し、前記第２のテレビジョン信号の走査線数と前記第１のテレビジョン信号の走査線数が等しい場合には、前記テキスト情報を付加せず出力するように、前記副画面映像処理手段を制御する制御手段と、
前記主画面映像処理手段の出力信号と、前記副画面映像処理手段の出力信号とが入力され、各出力信号を選択切替えして表示手段に供給する映像表示手段と
を具備して成ることを特徴とする。
【００２７】
請求項２記載の発明による多画面テレビ受像機は、請求項１記載の多画面テレビ受像機において、前記テキスト情報発生手段は、前記第１もしくは第２のテレビジョン信号に重畳された文字放送信号または字幕放送信号をデコードするデコーダであることを特徴とする。
【００３２】
【作用】
請求項１及び２記載の発明によれば、第１，第２の判別手段の判別結果に基づいて、第２のテレビジョン信号の走査線数が第１のテレビジョン信号の走査線数よりも少い場合には前記第２のテレビジョン信号にテキスト情報を付加して走査線数を増加して出力するようにしたので、テレビジョン信号の方式の異なる２つの映像信号を１つのＣＲＴ上で左右に同時に表示することが可能であり、かつ付加されたテキスト情報と同時に視聴可能である。
【００３３】
【実施例】
実施例について図面を参照して説明する。
図１は副画面用映像信号に垂直圧縮を施す機能を付加した、本発明である多画面テレビ受像機の一実施例を示すブロック図である。
【００３４】
図１において、従来と同じ部分または同じ機能を有するものについては同一の符号を付し、また説明は省略する。
副画面用の映像信号は、副画面映像システム判別部２５，ビデオ／クロマ／偏向処理部１，Ａ／Ｄ変換部２，副画面映像垂直圧縮部２３，データ並べ替え部（メモリ書き込み用）３，画像メモリ４，データ並べ替え部（メモリ読み出し用）５，Ｄ／Ａ変換部６を通り、主画面／副画面重畳部１２へ出力される。そして、画像メモリ４へデータを書き込むタイミングを調整する、書込タイミング発生部７及び、画像メモリ４からデータを読み出すタイミングを調整する、読出タイミング発生部８は、制御部９により制御されていて、該制御信号に基づいて前記書き込みタイミング調整及び読み出しタイミング調整を行っている。また、制御部９は副画面映像垂直圧縮部２３に対して垂直圧縮を行うか否かの制御も行っている。尚、画像メモリ４から読み出される副画面映像データは、書き込まれ時の約２倍の速度で読み出されていて、これにより副画面映像は、ＣＲＴ上の右側半分に表示されるようになっている。
【００３５】
一方、主画面用の映像信号は、主画面映像システム判別部２６，ビデオ／クロマ／偏向処理部１０，Ａ／Ｄ変換器６２，画像メモリ６３，Ｄ／Ａ変換器６４を通り、主画面／副画面重畳部１２へ出力されている。また、画像メモリ６３はメモリ制御部６１により、データの書き込み及び読み出しのタイミング制御が行われている。尚、副画面映像データと同様に、主画面映像データは、画像メモリ６３に書き込まれ時の約２倍の速度で読み出されていて、これにより主画面映像はＣＲＴ上の左側半分に表示されるようになっている。
【００３６】
そして、重畳された映像信号は映像処理部１３を通りＣＲＴドライブ部１４に供給されて、ＣＲＴ管面に映し出される。
【００３７】
図２は主画面表示映像の走査線数より副画面表示映像の走査線数の方が多い場合に、副画面の表示映像に垂直圧縮を行って主副両画面をＣＲＴ管面に同時に表示したところと、その方法を示した図である。
【００３８】
図２において、（ａ）に示すＣＲＴ管面４１の左側に表示されているのが主画面映像４２であり、右側に表示されているのが副画面映像４３である。尚、説明を簡単にするため、以降、主画面及び副画面には同一の映像が映し出されているものとする。
【００３９】
図２（ａ）から明らかな通り、本実施例においては、主画面映像及び副画面映像は同じように表示される。ただし、副画面映像４３は走査線数に圧縮が施されているため（垂直圧縮の方法にも因るが）、主画面映像４２と比べると、多少映像に歪みが生じている。
【００４０】
次に、このような画面表示をおこなうための前記構成による多画面テレビ受像機の動作について説明を行う。尚、本実施例では主画面にＮＴＳＣ方式による映像が表示（入力）されているものとする。
【００４１】
副画面映像システム判別部２５の判別結果は、判別結果信号２１として制御部９に供給され、主画面映像システム判別部２６の判別結果は、判別結果信号２２として制御部９に供給される。制御部９は図２（ｂ）に従って、副画面の走査線数が５２５本であるか、即ち副画面用に入力された映像信号が主画面と同様にＮＴＳＣ方式による映像信号であるかのチェックを行う（ステップａ１）。ＮＴＳＣ方式による映像信号であれば、制御部９は副画面映像垂直圧縮部制御信号２４により副画面映像垂直圧縮部２３が圧縮動作を行わない状態に切り換えて、副画面をそのまま表示する。
【００４２】
前記ステップａ１で、副画面用に入力された映像信号がＮＴＳＣ方式による映像信号でなければ、即ちＰＡＬ方式またはＳＥＣＡＭ方式である場合には、制御部９は、副画面映像垂直圧縮部制御信号２４により副画面映像垂直圧縮部２３に対し、副画面映像の走査線数が主画面映像の走査線数と等しくなるように圧縮動作を行うよう制御する（ステップａ２）。上記の動作により、主画面映像の映像表示期間における走査線数と等しい副画面映像の映像表示期間における走査線数が得られ、これにより、図２（ａ）に示す表示画面が得られる。
【００４３】
図３は副画面用映像信号にブランキング処理を施す機能を付加した、本発明である多画面テレビ受像機の、一実施例を示すブロック図である。
【００４４】
図３において、副画面用の映像信号は、副画面映像システム判別部２５，ビデオ／クロマ／偏向処理部１，Ａ／Ｄ変換部２，データ並べ替え部（メモリ書き込み用）３，画像メモリ４，データ並べ替え部（メモリ読み出し用）５，副画面映像ブランキング処理部２９，Ｄ／Ａ変換部６を通り、主画面／副画面重畳部１２へ出力される。そして、画像メモリ４へデータを書き込むタイミングを調整する書込タイミング発生部７、及び画像メモリ４からデータを読み出すタイミングを調整する読出タイミング発生部８は、制御部９により制御されていて、該制御信号に基づいて前記書き込みタイミング調整及び読み出しタイミング調整を行っている。また制御部９は、副画面映像ブランキング処理部２９に対してブランキング処理を行うか否かの制御も行っている。尚、画像メモリ４から読み出される副画面映像データは、書き込まれた時の約２倍の速度で読み出されていて、これにより副画面映像は、ＣＲＴ上の右側半分に表示されるようになっている。
【００４５】
一方、主画面用の映像信号は、主画面映像システム判別部２６，ビデオ／クロマ／偏向処理部１０，Ａ／Ｄ変換器６２，画像メモリ６３，Ｄ／Ａ変換器６４を通り、主画面／副画面重畳部１２へ出力されている。また、画像メモリ６３はメモリ制御部６１により、データの書き込み及び読み出しのタイミング制御が行われている。尚、副画面映像データと同様に、主画面映像データは、画像メモリ６３に書き込まれた時の約２倍の速度で読み出されていて、これにより主画面映像はＣＲＴ上の左側半分に表示されるようになっている。
【００４６】
そして、重畳された映像信号は、映像処理部１３を通りＣＲＴドライブ部１４に供給されて、ＣＲＴ管面に映し出される。
【００４７】
図４は主画面表示映像の走査線数より副画面表示映像の走査線数の方が多い場合に、副画面の表示映像にブランキング処理を行って主副両画面をＣＲＴ管面に同時に表示したところと、その方法を示した図である。
【００４８】
図４において、（ａ）に示すＣＲＴ管面４１の左側に表示されているのが主画面映像４２であり、右側に表示されているのが副画面映像４３である。
図４（ａ）から明らかな通り、本実施例においては、主画面映像４２に比べて副画面映像４３は多少間延びした形で表示される。また、副画面映像表示画面の上下には、直接見ることはできないが、ブランキング処理の行われた副画面映像５１、即ち５２５本の走査線数を超えたため、画面に表示されない副画面映像が存在する。
【００４９】
次に、このような画面表示をおこなうための前記構成による多画面テレビ受像機の動作について説明を行う。尚、本実施例では主画面にＮＴＳＣ方式による映像が表示（入力）されているものとする。
【００５０】
副画面映像システム判別部２５の判別結果は、判別結果信号２１として制御部９に供給され、主画面映像システム判別部２６の判別結果は、判別結果信号２２として制御部９に供給される。制御部９は図４（ｂ）のフローチャートに従い、副画面の走査線数が５２５本であるか、即ち副画面用に入力された映像信号が主画面と同様にＮＴＳＣ方式による映像信号であるかのチェックを行う（ステップｂ１）。ＮＴＳＣ方式による映像信号であれば、制御部９は副画面映像ブランキング処理部制御信号３０により副画面映像ブランキング処理部２９がブランキング処理を行わない状態に切り換えて、副画面をそのまま表示する。
【００５１】
前記ステップｂ１で、副画面用に入力された映像信号がＮＴＳＣ方式による映像信号でなければ、即ちＰＡＬ方式またはＳＥＣＡＭ方式である場合には、制御部９は、副画面映像ブランキング処理部制御信号３０により副画面映像ブランキング処理部２９に対し、副画面映像の走査線数が主画面映像の走査線数と等しくなるように、副画面映像信号の上側または下側または上下両側に、ブランキングをかけて有効な走査線数を５２５本にする動作を行うよう制御する（ステップｂ２）。上記の動作により、主画面映像の映像表示期間における走査線数と等しい副画面映像の映像表示期間における走査線数が得られ、これにより、図４（ａ）に示す表示画面が得られる。尚、図４（ａ）に示したブランキング処理の行われた副画面映像５１が、画面に表示されないにもかかわらずブランキング処理の行われている理由は、このブランキング処理の行われた副画面映像５１が、垂直帰線期間において、正規の表示画面の映像に悪影響を与えるのを防止するためである。
【００５２】
図５は副画面用映像信号から余分な走査線を取り出さないようにする機能を付加した、本発明である多画面テレビ受像機の一実施例を示すブロック図である。図５において、副画面用の映像信号は、副画面映像システム判別部２５，ビデオ／クロマ／偏向処理部１，Ａ／Ｄ変換部２，データ並べ替え部（メモリ書き込み用）３，画像メモリ４，データ並べ替え部（メモリ読み出し用）５，Ｄ／Ａ変換部６を通り、主画面／副画面重畳部１２へ出力される。そして、画像メモリ４へデータを書き込むタイミングを調整する書込タイミング発生部７、及び画像メモリ４からデータを読み出すタイミングを調整する読出タイミング発生部８は、制御部９により制御されていて、該制御信号に基づいて前記書き込みタイミング調整及び読み出しタイミング調整を行っている。尚、画像メモリ４から読み出される副画面映像データは、書き込まれ時の約２倍の速度で読み出されていて、これにより副画面映像は、ＣＲＴ上の右側半分に表示されるようになっている。
【００５３】
一方、主画面用の映像信号は、主画面映像システム判別部２６，ビデオ／クロマ／偏向処理部１０，Ａ／Ｄ変換器６２，画像メモリ６３，Ｄ／Ａ変換器６４を通り、主画面／副画面重畳部１２へ出力されている。また、画像メモリ６３はメモリ制御部６１により、データの書き込み及び読み出しのタイミング制御が行われている。尚、副画面映像データと同様に、主画面映像データは、画像メモリ６３に書き込まれ時の約２倍の速度で読み出されていて、これにより主画面映像はＣＲＴ上の左側半分に表示されるようになっている。
【００５４】
そして、重畳された映像信号は、映像処理部１３を通りＣＲＴドライブ部１４に供給されて、ＣＲＴ管面に映し出される。
【００５５】
図６は主画面表示映像の走査線数より副画面表示映像の走査線数の方が多い場合に、副画面の表示映像から余分な走査線を取り出さないようにして主副両画面をＣＲＴ管面に同時に表示したところと、その方法を示した図である。
【００５６】
図６において、（ａ）に示すＣＲＴ管面４１の左側に表示されているのが主画面映像４２であり、右側に表示されているのが副画面映像４３である。
図６（ａ）から明らかな通り、本実施例においては、主画面映像４２に比べて副画面映像４３は縦方向に若干間延びした形で表示される。
【００５７】
次に、このような画面表示をおこなうための前記構成による多画面テレビ受像機の動作について説明を行う。尚、本実施例では主画面にＮＴＳＣ方式による映像が表示（入力）されているものとする。
【００５８】
副画面映像システム判別部２５の判別結果は、判別結果信号２１として制御部９に供給され、主画面映像システム判別部２６の判別結果は、判別結果信号２２として制御部９に供給される。制御部９は図６（ｂ）のフローチャートに従い、副画面の走査線数が５２５本であるか、即ち副画面用に入力された映像信号が主画面と同様にＮＴＳＣ方式による映像信号であるかのチェックを行う（ステップｃ１）。ＮＴＳＣ方式による映像信号であれば、制御部９は読出タイミング発生部８を介して画像メモリ４に書き込まれた情報を無条件で読み出すモードに切り換えて、副画面映像をそのまま表示する。
【００５９】
前記ステップｃ１で、副画面用に入力された映像信号がＮＴＳＣ方式による映像信号でなければ、即ちＰＡＬ方式またはＳＥＣＡＭ方式である場合には、制御部９は、読出タイミング発生部８を介して読出しタイミング発生部８が発生するデータ読み出し用タイミング信号１８により、画像メモリ４が特定の領域（アドレス）の読み出し処理を行わないように、即ち、副画面映像の走査線数が主画面映像の走査線数と等しくなるように、副画面映像信号の上側または下側または上下両側部分に相当する走査線が格納されているメモリ領域（アドレス）の読み出し処理を行わないように制御する（ステップｃ２）。
【００６０】
上記処理により、主画面映像の映像表示期間における走査線数と等しい副画面映像の映像表示期間における走査線数が得られ、これにより、図６（ａ）に示す表示画面が得られる。
【００６１】
図７は副画面用映像信号にＤＣ重畳処理を施す機能を付加した、本発明である多画面テレビ受像機の、一実施例を示すブロック図である。
【００６２】
図７において、副画面用の映像信号は、副画面映像システム判別部２５，ビデオ／クロマ／偏向処理部１，Ａ／Ｄ変換部２，データ並べ替え部（メモリ書き込み用）３，画像メモリ４，データ並べ替え部（メモリ読み出し用）５，副画面映像ＤＣ（直流）重畳部３２，Ｄ／Ａ変換部６を通り、主画面／副画面重畳部１２へ出力される。そして、画像メモリ４へデータを書き込むタイミングを調整する書込タイミング発生部７、及び画像メモリ４からデータを読み出すタイミングを調整する読出タイミング発生部８は、制御部９により制御されていて、該制御信号に基づいて前記書き込みタイミング調整及び読み出しタイミング調整を行っている。また制御部９は、副画面映像ＤＣ（直流）重畳部３２に対してＤＣ重畳処理を行うか否かの制御も行っている。尚、画像メモリ４から読み出される副画面映像データは、書き込まれ時の約２倍の速度で読み出されていて、これにより副画面映像は、ＣＲＴ上の右側半分に表示されるようになっている。
【００６３】
一方、主画面用の映像信号は、主画面映像システム判別部２６，ビデオ／クロマ／偏向処理部１０，Ａ／Ｄ変換器６２，画像メモリ６３，Ｄ／Ａ変換器６４を通り、主画面／副画面重畳部１２へ出力されている。また、画像メモリ６３はメモリ制御部６１により、データの書き込み及び読み出しのタイミング制御が行われている。尚、副画面映像データと同様に、主画面映像データは、画像メモリ６３に書き込まれた時の約２倍の速度で読み出されていて、これにより主画面映像はＣＲＴ上の左側半分に表示されるようになっている。
【００６４】
そして、重畳された映像信号は、映像処理部１３を通りＣＲＴドライブ部１４に供給されて、ＣＲＴ管面に映し出される。
【００６５】
図８は主画面表示映像の走査線数より副画面表示映像の走査線数の方が少ない場合に、副画面の表示映像にＤＣ重畳処理を行って主副両画面をＣＲＴ管面に同時に表示したところと、その方法を示した図である。
【００６６】
図８において、（ａ）に示すＣＲＴ管面４５の左側に表示されているのが主画面映像４６であり、右側に表示されているのが副画面映像４７である。
図８（ａ）から明らかな通り、本実施例においては、主画面映像４６に比べて副画面映像４７は縦長が短い（走査線数の違いによる）ため上下に無映像部分５２が存在する。
【００６７】
次に、このような画面表示をおこなうための前記構成による多画面テレビ受像機の動作について説明を行う。尚、本実施例では主画面にＰＡＬ方式による映像が表示（入力）されているものとする。
【００６８】
副画面映像システム判別部２５の判別結果は、判別結果信号２１として制御部９に供給され、主画面映像システム判別部２６の判別結果は、判別結果信号２２として制御部９に供給される。制御部９は図８（ｂ）のフローチャートに従い、副画面の走査線数が６２５本であるか、即ち副画面用に入力された映像信号が主画面と同様にＰＡＬ方式（又はＳＥＣＡＭ方式）による映像信号であるかのチェックを行う（ステップｄ１）。ＰＡＬ方式（又はＳＥＣＡＭ方式）による映像信号であれば、制御部９は副画面映像ＤＣ重畳部制御信号３３により副画面映像ＤＣ重畳部３２がＤＣ重畳処理を行わない状態に切り換えて、副画面をそのまま表示する。
【００６９】
前記ステップｄ１で、副画面用に入力された映像信号がＰＡＬ方式（又はＳＥＣＡＭ方式）による映像信号でなければ、即ちＮＴＳＣ方式である場合には、制御部９は、副画面映像ＤＣ重畳部制御信号３３により副画面映像ＤＣ重畳部３２に対し、副画面映像信号の上側または下側または上下両側にＤＣを重畳した走査線を追加する処理を行い、副画面映像の走査線数が主画面映像の走査線数と等しくなるよう制御する（ステップｄ２）。上記の動作により、主画面映像の映像表示期間における走査線数と等しい副画面映像の映像表示期間における走査線数が得られ、これにより、図８（ａ）に示す表示画面が得られる。尚、図８（ａ）に示した無映像部分５２は、重畳されるＤＣの値により所望の色を所望の輝度で表示することが可能である。
【００７０】
図９は副画面用映像信号の走査線数の不足部分にテキストデータ情報を持ったＴＸＴ信号で補うために、テキスト信号発生機能を付加した、本発明である多画面テレビ受像機の、一実施例を示すブロック図である。
【００７１】
図９において、副画面用の映像信号は、副画面映像システム判別部２５，ビデオ／クロマ／偏向処理部１，Ａ／Ｄ変換部２，データ並べ替え部（メモリ書き込み用）３，画像メモリ４，データ並べ替え部（メモリ読み出し用）５，Ｄ／Ａ変換部６を通り、主画面／副画面重畳部１２へ出力される。そして、画像メモリ４へデータを書き込むタイミングを調整する書込タイミング発生部７、及び画像メモリ４からデータを読み出すタイミングを調整する読出タイミング発生部８は、制御部９により制御されていて、該制御信号に基づいて前記書き込みタイミング調整及び読み出しタイミング調整を行っている。また、制御部９はテキスト信号発生部３４がテキスト信号を主画面／副画面重畳部１２へ出力するタイミング制御を行っている。尚、画像メモリ４から読み出される副画面映像データは書き込まれた時の約２倍の速度で読み出されていて、これにより副画面映像は、ＣＲＴ上の右側半分に表示されるようになっている。
【００７２】
一方、主画面用の映像信号は、主画面映像システム判別部２６，ビデオ／クロマ／偏向処理部１０，Ａ／Ｄ変換器６２，画像メモリ６３，Ｄ／Ａ変換器６４を通り、主画面／副画面重畳部１２へ出力されている。また、画像メモリ６３はメモリ制御部６１により、データの書き込み及び読み出しのタイミング制御が行われている。尚、副画面映像データと同様に、主画面映像データは、画像メモリ６３に書き込まれ時の約２倍の速度で読み出されていて、これにより主画面映像はＣＲＴ上の左側半分に表示されるようになっている。
【００７３】
そして、重畳された映像信号は、映像処理部１３を通りＣＲＴドライブ部１４に供給されて、ＣＲＴ管面に映し出される。
【００７４】
図１０は主画面表示映像の走査線数より副画面表示映像の走査線数の方が少ない場合に、副画面の表示映像のブランク部分にテキストデータを挿入し、主副両画面映像をＣＲＴ管面に同時に表示したところと、その方法を示した図である。
【００７５】
図１０において、（ａ）に示すＣＲＴ管面４５の左側に表示されているのが主画面映像４６であり、右側に表示されているのが副画面映像４７である。
図１０（ａ）から明らかな通り、本実施例においては、主画面映像４６に比べて副画面映像４７は縦長が短い（走査線数の違いによる）ため上側に無映像部分が生じる。そのため、テキスト信号発生部３４の発生したテキスト信号に基づいたテキスト画面５３が前記無映像部分を埋めるている。
【００７６】
次に、このような画面表示をおこなうための前記構成による多画面テレビ受像機の動作について説明を行う。尚、本実施例では主画面にＰＡＬ方式による映像が表示（入力）されているものとする。
【００７７】
副画面映像システム判別部２５の判別結果は、判別結果信号２１として制御部９に供給され、主画面映像システム判別部２６の判別結果は、判別結果信号２２として制御部９に供給される。制御部９は図１０（ｂ）のフローチャートに従って、副画面の走査線数が６２５本であるか、即ち副画面用に入力された映像信号が主画面と同様にＰＡＬ方式（又はＳＥＣＡＭ方式）による映像信号であるかのチェックを行う（ステップｅ１）。ＰＡＬ方式（又はＳＥＣＡＭ方式）による映像信号であれば、制御部９は副画面をそのまま表示する。
【００７８】
前記ステップｅ１で、副画面用に入力された映像信号がＰＡＬ方式（又はＳＥＣＡＭ方式）による映像信号でなければ、即ちＮＴＳＣ方式である場合には、制御部９はテキスト信号発生部３４を制御して、制御信号３５によりテキスト信号発生部３４を制御して、副画面の表示期間の走査線数との和が、主画面の映像期間の走査線数と等しくなるように、副画面の映像期間の外の、上側または下側または上下両側にテキスト信号発生部３４で発生したテキスト信号を追加する処理を行い、副画面映像の走査線数が主画面映像の走査線数と等しくなるよう制御する（ステップｅ２）。
【００７９】
上記の動作により、主画面映像の映像表示期間における走査線数と等しい副画面映像の映像表示期間における走査線数が得られ、これにより、図１０（ａ）に示す表示画面が得られる。尚、前記テキスト信号発生部３４を文字放送や字幕放送等の受信器（デコーダ）に置き換えて、テキスト画面５３に文字放送や字幕を表示することも可能である。
【００８０】
以上説明したように、上記実施例では、受信されるテレビジョン方式がＮＴＳＣ方式，ＰＡＬ方式，ＳＥＣＡＭ方式の３種類のみとして、また主画面で受信するテレビジョン方式を、ＮＴＳＣ方式またはＰＡＬ方式に限定して説明したが、本発明はこれに限定されることなく、他のテレビジョン方式に応用することも可能である。
【００８１】
【発明の効果】
以上述べたように本発明によれば、画面を２分割して表示する副画面を有するテレビにおいて、例えばＰＡＬとＮＴＳＣ等のような走査線数の異なったテレビジョン方式による映像を、同時に表示し視聴することが可能である。
【図面の簡単な説明】
【図１】副画面用映像信号に垂直圧縮を施す機能を付加した、本発明である多画面テレビ受像機の一実施例を示すブロック図である。
【図２】主画面表示映像の走査線数より副画面表示映像の走査線数の方が多い場合に、副画面の表示映像に垂直圧縮を行って主副両画面をＣＲＴ管面に同時に表示したところと、その方法を示した図である。
【図３】副画面用映像信号にブランキング処理を施す機能を付加した、本発明である多画面テレビ受像機の、一実施例を示すブロック図である。
【図４】主画面表示映像の走査線数より副画面表示映像の走査線数の方が多い場合に、副画面の表示映像にブランキング処理を行って主副両画面をＣＲＴ管面に同時に表示したところと、その方法を示した図である。
【図５】副画面用映像信号から余分な走査線を取り出さないようにする機能を付加した本発明である多画面テレビ受像機の一実施例を示すブロック図である。
【図６】主画面表示映像の走査線数より副画面表示映像の走査線数の方が多い場合に、副画面の表示映像から余分な走査線を取り出さないようにして主副両画面をＣＲＴ管面に同時に表示したところと、その方法を示した図である。
【図７】副画面用映像信号にＤＣ重畳処理を施す機能を付加した、本発明である多画面テレビ受像機の、一実施例を示すブロック図である。
【図８】主画面表示映像の走査線数より副画面表示映像の走査線数の方が少ない場合に副画面の表示映像にＤＣ重畳処理を行って主副両画面をＣＲＴ管面に同時に表示したところと、その方法を示した図である。
【図９】副画面用映像信号の走査線数の不足部分にテキストデータ情報を持ったＴＸＴ信号で補うために、テキスト信号発生機能を付加した、本発明である多画面テレビ受像機の、一実施例を示すブロック図である。
【図１０】主画面表示映像の走査線数より副画面表示映像の走査線数の方が少ない場合に副画面の表示映像のブランク部分にテキストデータを挿入し、主副両画面ＣＲＴ管面に同時に表示したところと、その方法を示した図である。
【図１１】同じ大きさの画面を２つ並べて片方を主画面、他方を副画面として表示可能な従来のテレビジョン受像機の一構成例を示すブロック図である。
【符号の説明】
１，１０…ビデオ／クロマ／偏向処理部
２…Ａ／Ｄ変換部
３…データ並べ替え部（メモリ書き込み用）
４…画像メモリ
５…データ並べ替え部（メモリ読み出し用）
６…Ｄ／Ａ変換部
７…書込タイミング発生部
８…読出タイミング発生部
９…制御部
１１…主画面／副画面切り換え制御信号（ＹＳ）
１２…主画面／副画面重畳部
１３…映像処理部
１４…ＣＲＴドライブ部
１５…Ａ／Ｄ変換用タイミング信号
１６…データ並べ替え用タイミング信号
１７…データ書き込み用タイミング信号
１８…データ読み出し用タイミング信号
１９…データ並べ替え用タイミング信号
２０…Ｄ／Ａ変換用タイミング信号
２１，２２…判別結果信号
２３…副画面映像垂直圧縮部
２４…副画面映像垂直圧縮部制御信号
２５…副画面映像システム判別部
２６…主画面映像システム判別部
ＷＨＤ…副画面水平同期信号
ＷＶＤ…副画面垂直同期信号
ＲＨＤ…主画面水平同期信号
ＲＶＤ…主画面垂直同期信号
【図１】
0003589720.tif 000002
【図２】
0003589720.tif 000003
【図３】
0003589720.tif 000004
【図４】
0003589720.tif 000005
【図５】
0003589720.tif 000006
【図６】
0003589720.tif 000007
【図７】
0003589720.tif 000008
【図８】
0003589720.tif 000009
【図９】
0003589720.tif 000010
【図１０】
0003589720.tif 000011
【図１１】
0003589720.tif 000012